(57)【要約】【課題】ユーザ認証時におけるユーザの手間を軽減しながら不正利用及び誤操作を有効に防止する携帯端末及びそのセキュリティロック制御方法，プログラムを提供する。【解決手段】セキュリティロック処理手段２１が、セキュリティロック機能の設定状態中に、ユーザがタッチパネル１１に行ったタッチ，ドラック，リリース，タップ，フリックなどのタッチ操作の組み合わせを特定しこの特定したタッチ操作の組み合わせを予め設定された認証情報が示す組み合わせと照合しこの照合が一致した場合にセキュリティロック機能を解除する。【選択図】図１
2011043422.tif 000002
【特許請求の範囲】
【請求項１】
ロック機能を備えた携帯機器において、
画面上のタッチ位置を検知して検知信号を出力するタッチパネルと、
このタッチパネルからの信号を基に、前記画面に対するタッチ位置を基準とした当該画面上の動きの変化の種類としてタッチ操作の種類を判別するタッチ判別手段と、
この判別されたタッチ操作の種類が予め設定された認証情報と一致した場合にロックを解除するロック処理手段とを備えたことを特徴とする携帯機器。
【請求項２】
前記タッチ判別手段は、前記タッチ操作の種類として、少なくともタップ又はフリックと判別することを特徴とした請求項１に記載の携帯機器。
【請求項３】
前記認証情報が、タッチ操作の組み合わせを示す情報であり、
前記ロック処理手段は、一連のタッチ操作の組み合わせを特定しこの特定した一連のタッチ操作の組み合わせが前記認証情報と一致した場合にロックを解除することを特徴とする請求項２に記載の携帯機器。
【請求項４】
前記認証情報が、操作方向を伴うタッチ操作についてその方向データを含むことを特徴とする請求項３に記載の携帯機器。
【請求項５】
前記ロック処理手段は、ロック解除状態の間に、認証情報変更要求を外部入力した場合、前記認証情報を、新たに判別されたタッチ操作の種類を示す情報に更新することを特徴とする請求項４に記載の携帯機器。
【請求項６】
前記認証情報が、前記タッチ操作の押圧力情報を含むことを特徴とする請求項５に記載の携帯機器。
【請求項７】
ロック機能を備えた携帯機器によるセキュリティロック制御方法であって、
タッチパネルからの信号を基に、画面に対するタッチ位置を基準として当該画面上の動きの変化の種類としてタッチ操作の種類を判別し、
この判定されたタッチ操作の種類が予め設定された認証情報と一致した場合にロックを解除することを特徴とするセキュリティロック制御方法。
【請求項８】
前記タッチ操作の種類として、少なくともタップ又はフリックと判別することを特徴とした請求項７に記載のセキュリティロック制御方法。
【請求項９】
前記認証情報が、前記タッチ操作の組み合わせを示す情報であり、
前記ロック処理手段は、一連のタッチ操作の組み合わせを特定しこの特定した一連のタッチ操作の組み合わせが前記認証情報と一致した場合にロックを解除することを特徴とする請求項８に記載のセキュリティロック制御方法。
【請求項１０】
ロック機能と、
タッチパネルからの信号を基に、画面に対するタッチ位置を基準として当該画面上の動きの変化の種類としてタッチ操作の種類を判別する機能と、
このタッチ操作の種類が予め設定された認証情報と一致した場合にロックを解除する機能とをコンピュータに実行させることを特徴とするセキュリティロック制御用プログラム。
【発明の詳細な説明】
【技術分野】
【０００１】
本発明は、タッチパネルを備えた携帯端末及びそのセキュリティロック制御方法，セキュリティロック制御用プログラムに関する。
【背景技術】
【０００２】
携帯電話などの携帯型電子機器は、不正使用防止や所持中の誤操作防止のために、暗証番号入力を除く全ての操作入力を無効にするセキュリティロック機能を備えている。このセキュリティロック機能を設定した状態では、常にパスワードを要求し、登録されたものと同一のパスワードが操作入力されるとセキュリティロック機能が解除されるというのが通常であり、これにより、パスワードを知らない第三者による不正利用を防止している。【０００３】
しかし、通常のセキュリティロック機能では、ロック解除用のパスワードとして数桁の数字を用いているため、パスワード入力時におけるユーザの指の動きとキーボード上の数字キーの位置とを照らし合わせることでユーザの手元を確認しなくてもパスワードを特定することが可能であり、第三者にパスワードを知られてしまうという危険性があった。【０００４】
これに対する関連技術が特許文献１に開示されている。特許文献１に開示された関連技術は、タッチパネルから手書き入力された軌跡から生成されたデータを、予め登録されたデータと比較して、一致した場合にキーロック機能を解除するという構成の携帯電子機器である。【０００５】
この特許文献１の技術によれば、タッチパネルから入力される図形や線などの軌跡データを、キーロック機能を解除するためのユーザ認証に用いるので、英数字のパスワード方式に比べてより有効に不正使用を防止することができる。
【先行技術文献】
【特許文献】
【０００６】
【特許文献１】特開２００７−２５７１４０号公報
【発明の概要】
【発明が解決しようとする課題】
【０００７】
しかしながら、上述した特許文献１の関連技術では、タッチパネルへの手書き入力による図形又は線をパスワードとしてユーザ認証を行っているが、タッチパネルから図形を手書き入力する際には、タッチパネルの画面を広く使わなければならず、ユーザの入力動作が大きくなるので、ユーザに煩わしさを与えてしまうという不都合があった。また、パスワード入力の動作が大きくなることから、パスワードである図形や線が近傍に居る第三者に漏洩してしまう可能性が高いという不都合もあった。【０００８】
本発明の目的は、ユーザ認証時におけるユーザの手間を軽減しながら不正利用及び誤操作を有効に防止する携帯機器及びそのセキュリティロック制御方法，プログラムを提供することである。
【課題を解決するための手段】
【０００９】
上記目的を達成するため、本発明の携帯電話機は、画面上のタッチ位置を検知し検知信号として入力するタッチパネルと、このタッチパネルから得られる検知情報に基づいてタップ及びフリックを含むタッチ操作のいずれがユーザに実行されたかを判別するタッチ判別手段と、前記タッチパネルへの操作を制限するセキュリティロック機能を有しこのセキュリティロック機能の設定／解除を行うセキュリティロック処理手段とを備え、前記セキュリティロック処理手段は、前記セキュリティロック機能の設定中に前記タッチ判別手段による判別結果に基づいて前記ユーザが順に行ったタッチ操作の組み合わせを特定し、この特定した一連のタッチ操作の組み合わせを予め記憶された認証情報が示すタッチ操作の組み合わせと照合しこの照合が一致した場合に前記セキュリティロック機能を解除する機能を備えたことを特徴とする。【００１０】
また、本発明のセキュリティロック制御方法は、画面上のタッチ位置を検知し検知信号として入力するタッチパネルと、このタッチパネルに対する操作を制限するセキュリティロック機能とを備えた携帯電話機にあって、前記セキュリティロック機能の設定中に前記タッチパネルからの信号に基づいてユーザによるタップ及びフリックを含むタッチ操作のいずれがユーザに行われたかを判別し、この判別された一連のタッチ操作の組み合わせを予め設定された認証情報が示すタッチ操作の組み合わせと照合し、この照合が一致した場合に、前記セキュリティロック機能を解除することを特徴とする。【００１１】
また、本発明のセキュリティロック制御用プログラムは、タッチパネルからの信号を入力しこの信号に基づいてユーザによるタップ及びフリックを含むタッチ操作のいずれがユーザに行われたかを判別するタッチ操作判別機能と、前記タッチパネルに対する操作を制限するセキュリティロック機能と、前記セキュリティロック機能の設定中に前記ユーザによる一連のタッチ操作を予め設定された認証情報が示すタッチ操作の組み合わせと照合し、この照合が一致した場合に前記セキュリティロック機能を解除するロック解除機能と、をコンピュータに実行させることを特徴とする。
【発明の効果】
【００１２】
本発明は、タッチパネルに対するタップやフリックなどの各種タッチ操作の組み合わせを認証情報に用いてユーザ認証を行いロック機能の解除を行うので、タッチパネルの操作性を生かした利便性の高い認証処理を実行することが可能になり、ユーザの操作負担を軽減しながら不正利用及び誤操作を有効に防止することができる。
【図面の簡単な説明】
【００１３】
【図１】本発明にかかる一実施形態の携帯電話機の構成を示す機能ブロック図である。
【図２】図１に開示した実施形態の携帯電話機における表示部が表示する暗号入力画面を示す図である。
【図３】図１に開示した実施形態の携帯電話機の動作の一例を示すフローチャートである。
【発明を実施するための形態】
【００１４】
以下、本発明にかかる一実施形態を、図面に基づいて説明する。
【００１５】
図１は、本実施形態の携帯電話機の構成を示す機能ブロック図である。図１に示すように、本実施形態の携帯電話機は、画像を画面に表示する表示部１３と、画面上のタッチ位置を検知し検知信号として入力するタッチパネル１１と、タッチパネル１１から得られる検知信号に基づいて、画面に対するタッチ位置を基準とした当該画面上の動きの変化の種類としてタッチ操作の種類を判別するタッチ判別手段１２と、計時処理を行うタイマー部１４と、アンテナを有しこのアンテナを介して基地局と無線通信を行う無線通信部１５と、無線通信部と接続し無線通信用の音声信号を処理する音声処理部１６と、音声を音声処理部１６へ入力するマイク１７と、音声処理部１６からの信号に基づいて音声を出力するスピーカ１８と、アドレス帳や画像情報などの各種データを記憶するメモリ１９と、これら各構成要素の動作を制御する主制御部２０とを備えている。
【００１６】
そして、主制御部２０は、タッチパネル１１に対する操作を制限するセキュリティロック機能を有すると共にこのセキュリティロック機能の設定／解除を行う機能を有したセキュリティロック処理手段２１を備えている。このセキュリティロック機能は、ユーザによる入力操作を無効にする機能である。よって、本実施形態の携帯電話機は、セキュリティロック機能が設定されている間、使用不可能な状態になる。
【００１７】
表示部１３は、主制御部２０から送られてくる画像データに基づいて文字や図形などの画像を画面に表示する機能を有しており、たとえば、液晶ディスプレイである。タッチパネル１１は、画面上におけるユーザが触れた位置を検知しこのタッチ位置の座標を示す検知信号をタッチ判別手段１２へ出力する。
【００１８】
タッチ判別手段１２は、タッチパネル１１からの検知信号に基づいて、ユーザの画面に対するタッチ操作の種類の判別とそのタッチ位置の検出を行い、その検出したタッチ開始位置とタッチ操作の種類の判別結果とを主制御部２０へ送出する機能を備えている。このタッチ判別手段１２は、ユーザによるタッチ操作の種類として、少なくとも「タッチ」，「ドラッグ」，「リリース」，「タップ」，「ダブルタップ」，「フリック」を判別し、「ドラッグ」，「フリック」などのタッチ位置の移動を伴う操作については、その始点位置の座標と、終点位置の座標を検出する。
【００１９】
上述したタッチ操作とは、画面上のタッチ位置の動きの変化を複数の種類に分類し定めたものである。「タッチ」とは画面に触る操作であり、「ドラッグ」とは画面に触ったままスライドする操作であり、「リリース」とは「タッチ」状態から離す操作である。また、「タップ」とは画面に触ってすぐ離す操作であって、つまり画面をたたく操作であり、「ダブルタップ」とは予め定められた短い時間内に画面上の同じ位置を続けて２回たたく操作であり、「フリック」とは画面に触れて払う操作である。
【００２０】
無線通信部１５は、アンテナを介して基地局と無線回線で接続し、音声通信又はデータ通信を行う機能を備えている。音声処理部１６は、無線通信部１５からの音声信号を処理してスピーカ１８へ送出する機能と、マイク１７からの音声信号を処理して無線通信部１５へ送出する機能とを備えている。
【００２１】
主制御部２０は、無線通信部１５に受信された信号に応じて電話着信処理，メール着信処理等を実行し、メモリ１９から読み出した音声データ又は画像データを用いて音声処理部１６，表示部１３を制御する機能と、タッチ判別手段１２からの情報に応じて電話発信処理，メール発信処理等を実行し、メモリ１９から読み出した音声データ又は画像データを用いて音声処理部１６，表示部１３を制御する機能とを有している。
【００２２】
本実施形態における主制御部２０は、セキュリティロック処理手段２１を備えている。セキュリティロック処理手段２１は、タッチパネル１１に対する操作を無効にして自機を使用不可状態にするセキュリティロック機能と、このセキュリティロック機能の設定及び解除を行う機能とを備えている。
【００２３】
セキュリティロック処理手段２１は、セキュリティロック機能が解除状態の間に、タッチ判別手段１２による判別結果に基づいてユーザの操作の有無を監視し、ユーザによる操作の無い時間が予め設定された一定時間を超過したか否かをタイマー部１４からの計時情報を基に判断し、超過したと判断した場合にセキュリティロック機能を自動的に設定する機能を有している。これにより、本実施形態の携帯電話機は、放置された場合でも不正使用を有効に防止することができる。
【００２４】
また、セキュリティロック処理手段２１は、セキュリティロック機能が設定状態の間に、ユーザ認証処理を行ってからセキュリティロック機能を解除する機能を有している。このユーザ認証処理は、タッチ判別手段１２による判別結果に基づいてユーザが順に行ったタッチ操作の組み合わせを特定し、この特定した一連のタッチ操作の組み合わせを予めメモリ１９に記憶された認証情報が示すタッチ操作の組み合わせと照合し、この照合が一致した場合に当該ユーザを正当なユーザであると認証する処理である。
【００２５】
ここで、このセキュリティロック処理手段２１における、セキュリティロック機能を解除する機能について、具体的に説明する。
【００２６】
セキュリティロック処理手段２１は、セキュリティロック機能が設定状態の間には、メモリ１９に記憶された画像情報を基に暗号入力画面を表示部１３に表示させる。図２は、暗号入力画面の一例を示す図である。ユーザが暗号入力画面の操作受付領域１００にタッチ操作を行い、タッチ判別手段１２がタッチ操作の判別結果をセキュリティロック処理手段２１へ送出し、判別結果を受けたセキュリティロック処理手段２１は暗号入力画面の入力表示欄２００に「＊」を表示させる。「＊」は１つのタッチ操作が入力されたことを表している。
【００２７】
セキュリティロック処理手段２１は、ユーザが暗号入力画面のＯＫボタン３００の位置をタッチした旨の判別結果をタッチ判別手段１２から受けた場合、ユーザによる一連のタッチ操作が確定したと判断して、ユーザによる一連のタッチ操作の組み合わせを特定し、この特定した一連のタッチ操作の組み合わせを認証情報が示す組み合わせと照合し、両者の組み合わせが完全に一致したときに、当該ユーザを正当なユーザと認証してセキュリティロック機能を解除する。
【００２８】
例えば、認証情報が「タップ・フリック・タップ・ドラッグ」の場合は、暗号入力画面の操作受付領域１００に対して、ユーザがタップ、フリック、タップ、ドラックと順に行ったときに、セキュリティロック機能を解除する。
【００２９】
このように、本実施形態の携帯電話機は、「タッチ」，「ドラッグ」，「リリース」，「タップ」，「ダブルタップ」，「フリック」などの各種タッチ操作の組み合わせを暗号としたユーザ認証を実行し、認証してからセキュリティロック機能を解除するので、ユーザが、ユーザ認証のための入力操作を、画面上の操作位置を気にすることなく行うことができ、所定の英数字キーを順に押下するパスワード入力に比べて、より素早く暗号入力操作を行うことができる。
【００３０】
ここで、上述した認証情報は、各種タッチ操作の内、ドラッグ及びフリックなど操作方向を伴うものについてその方向データを含む情報であってもよい。例えば、認証情報を「タップ・フリック左・タップ・ドラッグ右」とした場合、セキュリティロック処理手段２１は、タッチ判別手段１２による検出情報から、ドラッグやフリックなどのタッチ位置の移動を伴う操作については上下左右４方向を示す方向データを特定するようにし、暗号入力画面の操作受付領域１００にタップ、左方向へのフリック、タップ、右方向へのドラックと順に操作されたと判断したときに、セキュリティロック機能を解除する。
【００３１】
このように、ドラッグ及びフリックなど操作方向を伴うタッチ操作についてはその方向データを含むように認識情報を設定すると、認証情報のパターン数が増加するため、セキュリティをより一層向上させることができる。方向データとしては、上下左右４方向に限らず、２方向，８方向であってもよい。
【００３２】
セキュリティロック処理手段２１は、タッチ判別手段１２の判別結果におけるドラック，フリックそれぞれの始点位置と終点位置に基づいて、ドラッグ，フリックそれぞれの方向データを予め設定された基準情報に応じて特定する機能を備えている。よって、基準情報に応じて、方向データの示す方向が４方向、２方向，８方向などに設定される。
【００３３】
また、セキュリティロック処理手段２１は、セキュリティロック機能の解除状態中に、ユーザの操作入力に応じて、メモリ１９に記憶されている認証情報を更新する機能を備えている。ここで、このセキュリティロック処理手段２１の認証情報を更新する機能について、具体的に説明する。
【００３４】
セキュリティロック処理手段２１は、セキュリティロック機能が解除状態のときに、ユーザの操作に応じて入力される認証情報変更要求を受け付けると、認証情報入力画面を表示部１３に表示させる。認証情報入力画面は図３に示す暗号入力画面と同一であってもよい。そして、ユーザが認証情報入力画面の操作受付領域１００に対し順にタッチ操作を行い、タッチ判別手段１２によりそのタッチ操作が判別されると、セキュリティロック処理手段２１は認証情報入力画面の入力表示欄２００に「＊」を表示させる。
【００３５】
そして、ユーザが認証情報入力画面のＯＫボタン３００にタッチすると認証情報の入力が確定したことを示す通知が入力され、この通知を入力したセキュリティロック処理手段２１は、ユーザによる一連のタッチ操作を特定し、この特定した一連のタッチ操作の組み合わせを新たな認証情報としてメモリ１９内の認証情報を更新する。
【００３６】
このように、メモリ１９に記憶された認証情報を更新することで、認証情報の漏洩に対処することができ、セキュリティを確保することができる。
【００３７】
ここで、セキュリティロック処理手段２１は、認証情報を更新する際に、新規の認証情報が各タッチ操作の押圧力データを含むようにしてもよい。例えば、タッチ判別手段１２はタッチパネル１１からの検知信号からタッチ位置，タッチ操作，タッチ操作の押圧力を判別し、セキュリティロック処理手段２１は各タッチ操作の押圧力を閾値を基に「大」、「中」、「小」に分類し、ユーザのタッチ操作に基づいて認証情報を「タップ：押圧大・フリック左：押圧中・タップ：押圧大・ドラッグ右：押圧中」を示す情報などに更新する。
【００３８】
操作する者によって異なるタッチ操作の押圧力を認証情報に含めることで、ユーザ特有の認証情報を設定することができるので、不正使用を防止し、セキュリティを有効に強化することができる。
【００３９】
このように、本実施形態の携帯電話機によれば、セキュリティロック機能が設定状態のときに、ユーザがタッチパネル１１に行うタッチ，ドラック，リリース，タップ，フリックなどのタッチ操作の組み合わせを暗号としてユーザ認証を行ってからセキュリティロック機能を解除するので、ユーザ認証のための暗号入力時に、ユーザは操作位置を気にすることなく各種タッチ操作を行えばよいので、パスワード入力に比べてより速い入力操作が可能になり、迅速にセキュリティロック機能を解除することができる。
【００４０】
次に、本実施形態の携帯電話機の動作について説明する。以下の動作説明は、本実施形態の携帯電話機のセキュリティロック制御方法を示している。
【００４１】
図３は、本実施形態の携帯電話機の動作を示すフローチャートである。図３に示すように、本実施形態の携帯電話機では、セキュリティロック処理手段２１が、セキュリティロック機能が解除状態の時に、タッチパネル１１からの信号に基づくタッチ判別手段１２の判断結果に基づいてユーザによる操作の有無を監視し、一定時間内に操作が無かった場合（図３のステップＳ１）、セキュリティロック機能を設定する（図３のステップＳ２）。
【００４２】
続いて、セキュリティロック処理手段２１が、セキュリティロック機能の設定状態時に、暗号入力画面を表示部１３に表示させ（図３のステップＳ３）、ユーザによる一連のタッチ操作をタッチ判別手段１２の判断結果に基づいて特定し（図３のステップＳ４）、この特定した一連のタッチ操作をメモリ１９に記憶されている認証情報が示すタッチ操作の組み合わせと照合し、照合が一致した場合（図３のステップＳ５のはい）、セキュリティロック機能を解除する（図３のステップＳ６）。
【００４３】
例えば、ユーザが暗号入力画面に対してタップ、フリック、タップ、ドラッグと順に行ったとして、認証情報に「タップ・フリック・タップ・ドラッグ」と記録されていた場合、ユーザによる一連のタッチ操作と認証情報とが一致するため、セキュリティロック機能を解除する。
【００４４】
このように、本実施形態の携帯電話機は、セキュリティロック機能の設定状態時に、ユーザがタッチパネル１１に行うタッチ，ドラック，リリース，タップ，フリックなどの各種タッチ操作の組み合わせをユーザ認証の暗号として採用し、認証した後にセキュリティロック機能を解除する。これにより、ユーザは、ユーザ認証のための入力操作の際、画面上の位置を気にせずに特定のタッチ操作を行えばよいので、パスワード入力による認証と比較して、より速い入力操作が可能になり、その結果、セキュリティロック機能の解除を迅速に実行することができる。
【００４５】
ここで、前述したタッチ判別手段１２，セキュリティロック処理手段２１については、その機能内容をプログラム化して、コンピュータに実行させるように構成してもよい。また、このプログラムは、非一時的な記録媒体、例えば、DVD、CD、フラッシュメモリなどに記録されてもよく、その場合、本プログラムは、記録媒体からコンピュータによって読み出され、実行される。
【００４６】
以上のように、本実施形態の携帯電話機によれば、セキュリティロック処理手段２１が、セキュリティロック機能の解除に要するユーザ認証の暗号として、ユーザがタッチパネル１１に行うタッチ，ドラック，リリース，タップ，フリックなどのタッチ操作の組み合わせを採用するので、ユーザは、ユーザ認証のための暗号入力操作の際、各種タッチ操作を画面上の操作位置を気にすることなく行うことができ、所定の英数字キーを押下してパスワードを入力するのと比べて、手間を軽減して速い入力操作が可能になる。
【００４７】
さらに、操作の仕方の組み合わせを暗号としているので、暗号入力時のユーザの操作範囲は小さい領域になるとともに、入力した暗号と操作位置とに対応関係はないので、認証情報である一連のタッチ操作を第三者が知ることは困難である。よって、タッチパネルの操作性を損ねることなく高度なセキュリティ確保が可能となる。
【００４８】
また、本実施形態の携帯電話機は、セキュリティロック機能が解除状態の間に、一定時間操作が無いと、セキュリティロック機能を自動的に設定して使用不可の状態にするので、放置された場合でも不正利用を有効に防止することができる。
【００４９】
上記の実施形態の一部又は全ては、以下の付記のようにも記載されうるが、以下には限定されない。
【００５０】
［付記１］ロック機能を備えた携帯機器であって、画面上のタッチ位置を検知して検知信号を出力するタッチパネルと、このタッチパネルからの信号を基に、前記画面に対するタッチ位置を基準とした当該画面上の動きの変化の種類としてタッチ操作の種類を判別するタッチ判別手段と、この判別されたタッチ操作の種類が予め設定された認証情報と一致した場合にロックを解除するロック処理手段とを備えたことを特徴とする携帯機器。
［付記２］前記タッチ判別手段は、前記タッチ操作の種類として、少なくともタップ又はフリックと判別することを特徴とする付記１に記載の携帯機器。
［付記３］前記認証情報が、タッチ操作の組み合わせを示す情報であり、前記ロック処理手段は、一連のタッチ操作の組み合わせを特定しこの特定した一連のタッチ操作の組み合わせが前記認証情報と一致した場合にロックを解除することを特徴とする付記２に記載の携帯機器。
［付記４］前記認証情報が、操作方向を伴うタッチ操作についてその方向データを含むことを特徴とする付記３に記載の携帯機器。
［付記５］前記ロック処理手段は、ロック解除状態の間に、認証情報変更要求を外部入力した場合、前記認証情報を、新たに判別されたタッチ操作の種類を示す情報に更新することを特徴とする付記４に記載の携帯機器。
［付記６］前記認証情報が、前記タッチ操作の押圧力情報を含むことを特徴とする付記５に記載の携帯機器。
［付記７］ロック機能を備えた携帯機器によるセキュリティロック制御方法であって、タッチパネルからの信号を基に、画面に対するタッチ位置を基準として当該画面上の動きの変化の種類としてタッチ操作の種類を判別し、この判定されたタッチ操作の種類が予め設定された認証情報と一致した場合にロックを解除することを特徴とするセキュリティロック制御方法。
［付記８］前記タッチ操作の種類として、少なくともタップ又はフリックと判別することを特徴とする付記７に記載のセキュリティロック制御方法。
［付記９］前記認証情報が、前記タッチ操作の組み合わせを示す情報であり、前記ロック処理手段は、一連のタッチ操作の組み合わせを特定しこの特定した一連のタッチ操作の組み合わせが前記認証情報と一致した場合にロックを解除することを特徴とする付記８に記載のセキュリティロック制御方法。
［付記１０］前記認証情報が、操作方向を伴うタッチ操作についてその方向データを含むことを特徴とする付記９に記載のセキュリティロック制御方法。
［付記１１］ロック解除状態の間に、認証情報変更要求を入力した場合、前記認証情報を、新たに判別されたタッチ操作の種類を示す情報に更新することを特徴とする付記１０に記載のセキュリティロック制御方法。
［付記１２］前記認証情報が、前記タッチ操作の押圧力情報を含むことを特徴とする付記１１に記載のセキュリティロック制御方法。
［付記１３］ロック機能と、タッチパネルからの信号を基に、画面に対するタッチ位置を基準として当該画面上の動きの変化の種類としてタッチ操作の種類を判別するタッチ判別機能と、このタッチ操作の種類が予め設定された認証情報と一致した場合にロックを解除するロック解除機能と、をコンピュータに実行させることを特徴とするセキュリティロック制御用プログラム。
［付記１４］前記タッチ判別機能が、タッチ操作の種類として、少なくともタップ又はフリックと判別する機能であることを特徴とする付記１３に記載のセキュリティロック制御用プログラム。
［付記１５］前記認証情報が、前記タッチ操作の組み合わせを示す情報であり、前記ロック解除機能が、一連のタッチ操作の組み合わせを特定しこの特定した一連のタッチ操作の組み合わせが前記認証情報と一致した場合にロックを解除する機能であることを特徴とする付記１４に記載のセキュリティロック制御用プログラム。
［付記１６］前記認証情報が、操作方向を伴うタッチ操作についてその方向データを含むことを特徴とする付記１５に記載のセキュリティロック制御用プログラム。
［付記１７］ロック解除状態の間に、認証情報変更要求を入力すると、前記認証情報を、新たに判別されたタッチ操作の種類を示す情報に更新する機能を、前記コンピュータに実行させることを特徴とする付記１６に記載のセキュリティロック制御用プログラム。
［付記１８］前記認証情報が、前記タッチ操作の押圧力情報を含むことを特徴とする付記１７に記載のセキュリティロック制御用プログラム。
【００５１】
以上、実施形態（及び実施例）を参照して本願発明を説明したが、本願発明は上記実施形態（及び実施例）に限定されるものではない。本願発明の構成や詳細には、本願発明のスコープ内で当業者が理解し得る様々な変更をすることができる。
【００５２】
この出願は２００９年１０月９日に出願された日本出願特願２００９−２３５５８９を基礎とする優先権を主張し、その開示の全てをここに取り込む。
【産業上の利用可能性】
【００５３】
本発明は、タッチパネルを利用した携帯電話機とそれに類する電子機器に適用することができる。
【符号の説明】
【００５４】
１１  タッチパネル
１２  タッチ判別手段
１３  表示部
１４  タイマー部
１５  無線通信部
１６  音声処理部
１７  マイク
１８  スピーカ
１９  メモリ
２０  主制御部
２１  セキュリティロック処理手段
【図１】
2011043422.tif 000003
【図２】
2011043422.tif 000004
【図３】
2011043422.tif 000005
【国際調査報告】
2011043422.tif 000006
2011043422.tif 000007